(57)【要約】      （修正有）【課題】プレーヤーがグリーンの傾斜や景色、体調や感覚に惑わされることなく正しいアドレスがセットできる方法とそれを実施できるためのパターやミラーを提供する。【解決手段】パターのヘッド上部の表面にミラーを設け、ミラーに映った姿や顔や目の位置を確認してアドレスをセットする方法とそれらの方法を実現するたにパターのヘッド上部の表面の全体又は一部にミラーを設けたパターと表にミラー面を設け裏に粘着面を設けたミラー。【選択図】図３
2007275536.tif 000002
【特許請求の範囲】
【請求項１】
プレーヤーの姿や顔や目をパターのヘッド表面に映し、その姿や顔や目の位置を確認して正しいアドレスを作れるようにする手段。
【請求項２】
請求項１を実施するためにパターのヘッド表面の全体、または一部にミラー加工を設けたパター。
【請求項３】
請求項１を実施するためにパターのヘッド表面の全体、または一部にミラーを設けたパター
【請求項４】
請求項２，３のミラーにラインを入れたパター。
【請求項５】
請求項１を実施するための従来のパターを請求項２、３のパターにするために表にミラー面を設け裏に粘着面を設け、パターのヘッド表面の全体、または一部に貼り付けられるようにしたミラー。
【請求項６】
請求項１を実施するための従来のパターを請求項２、３のパターにするために表にミラー面を設け裏に粘着面を設け、ミラー面の表面にラインを設け、パターのヘッド表面の全体、または一部に貼り付けられるようにしたミラー。
【請求項７】
請求項２、３、４、５、６のミラー面の表面にフィルムを貼ったパターや鏡。
【請求項８】
請求項２、３、４、５、６のミラー面の表面にコーティング加工を行ったパターや鏡。
【請求項９】
請求項２、３、４、５、６の鏡の表面にフィルムを張り、コーティング加工を行ったパターや鏡。
【発明の詳細な説明】
【技術分野】
【０００１】この発明は、パッティングを行うために正確なアドレスをセットするためのものである。
【背景技術】
【０００２】従来、パッティングのアドレスをセットするのは、プレーヤーの経験や感覚に頼っていた。しかし、グリーンの傾斜や景色、プレーヤーの体調や感覚により、常に安定した正しいアドレスをセットすることは難しかった。
【発明の開示】
【発明が解決しようとする課題】
【０００３】本発明は、プレーヤーがグリーンの傾斜や景色、体調や感覚に惑わされることなく正しいアドレスがセットできる方法とそれを実施できるためのパターやミラーについて研究を重ねた。
【問題を解決するための手段】
【０００４】上記目的を達するために、パターの表面にプレーヤーの姿や顔や目を映し、それらを確認して常に同じアドレスをセットできる方法を考案した。
【０００５】また、その方法を実施するためにパターの表面にミラーを設けたパターやパターの表面に姿や顔や目が映ることができるようにするために粘着面を設けたミラーを考案した。
【発明の効果】
【０００６】本発明は以上説明したような手段により構成されているので、以下に記載されるような効果を奏する。
【０００７】本発明は、本考案を実施した場合にパター表面のミラーにプレーヤーの姿や顔や目が映る、従ってプレーヤーは映っているプレーヤーの姿や顔や目の位置を確認することができ、常に同じ位置でアドレスをセットすることができる。
【発明を実施するための最良の形態】
【０００８】発明の実施の形態を実施例にもとづき図面を参照して説明する。本案の実施例について説明する。【０００９】プレーヤーは、パターを持ってアドレスをする。パター表面の鏡によってプレーヤーの姿や顔や目が映し出されるため、プレーヤーは映った姿や顔や目を確認してアドレスを調整することができ正確なアドレスをセットアップする方法である。【００１０】パターのヘッド上部の表面の全体、または一部にミラー加工を行ったパター。【００１１】パターのヘッド上部の表面の全体、または一部にミラー加工を行い、ミラー面にフィルム、またはコーティングを設けたパター。【００１２】パターのヘッド上部の表面の全体、または一部にミラーを設けたパター。【００１３】パターのヘッド上部の表面の全体、または一部に鏡を設け、ミラーを設け、ミラー面にラインを設けたパター。【００１４】表にミラー面を設け裏に粘着面を設け、様々な形に成形したミラー。【００１５】表にミラー面を設け裏に粘着面を設け、様々な形に成形し、ミラー面にラインを設けたミラー。【００１６】表にミラー面を設け裏に粘着面を設け、様々な形に成形し、ミラー面にフィルム、またはコーティングを設けたミラー。【００１７】表にミラー面を設け裏に粘着面を設け、様々な形に成形し、ミラー面にラインを設け、ミラー面にフィルム、またはコーティングを設けたミラー。
【発明の効果】
【００１８】本発明に係るパターとミラーは、工業的に量産する事が可能であるため、産業上の利用可能性を有する。
また、本発明に係るアドレスセットアップ方法は、パッティング練習やパッティングを行う上で利用可能性を有する。
【図面の簡単な説明】
【００１９】
【図１】本発明のセットアップ方法の実施時の側面図である。
【図２】本発明のセットアップ方法の実施時の正面図である。
【図３】本発明のパターの正面からの断面図である。
【図４】本発明のパターの正面からの断面図である。
【図５】本発明のパターの正面からの断面図である。
【図６】本発明のパターの正面からの断面図である。
【図７】本発明のミラーの側面からの断面図である。
【図８】本発明のミラーの側面からの断面図である。
【図９】本発明のパターの上部からの正面図である。
【図１０】本発明のパターの上部からの正面図である。
【図１１】本発明のパターの上部からの正面図である。
【図１２】本発明のパターの上部からの正面図である。
【図１３】本発明のパターの上部からの正面図である。
【図１４】本発明のパターの上部からの正面図である。
【図１５】本発明のパターの上部からの正面図である。
【図１６】本発明のパターの上部からの正面図である。
【図１７】本発明のパターの上部からの正面図である。
【図１８】本発明のパターの上部からの正面図である。
【図１９】本発明のパターの上部からの正面図である。
【図２０】本発明のパターの上部からの正面図である。
【図２１】本発明のパターの上部からの正面図である。
【図２２】本発明のパターの上部からの正面図である。
【図２３】本発明のパターの上部からの正面図である。
【図２４】本発明のパターの上部からの正面図である。
【図２５】本発明のパターの上部からの正面図である。
【図２６】本発明のパターの上部からの正面図である。
【図２７】本発明のパターの上部からの正面図である。
【図２８】本発明のパターの上部からの正面図である。
【図２９】本発明のパターの上部からの正面図である。
【図３０】本発明のパターの上部からの正面図である。
【図３１】本発明のパターの上部からの正面図である。
【図３２】本発明のパターの上部からの正面図である。
【図３３】本発明のパターの上部からの正面図である。
【図３４】本発明のパターの上部からの正面図である。
【図３５】本発明のパターの上部からの正面図である。
【図３６】本発明のパターの上部からの正面図である。
【図３７】本発明のパターの上部からの正面図である。
【図３８】本発明のパターの上部からの正面図である。
【図３９】本発明のパターの上部からの正面図である。
【図４０】本発明のパターの上部からの正面図である。
【図４１】本発明のパターの上部からの正面図である。
【図４２】本発明のパターの上部からの正面図である。
【図４３】本発明のパターの上部からの正面図である。
【図４４】本発明のパターの上部からの正面図である。
【図４５】本発明のパターの上部からの正面図である。
【図４６】本発明のパターの上部からの正面図である。
【図４７】本発明のパターの上部からの正面図である。
【図４８】本発明のパターの上部からの正面図である。
【図４９】本発明のパターの上部からの正面図である。
【図５０】本発明のパターの上部からの正面図である。
【図５１】本発明のパターの上部からの正面図である。
【図５２】本発明のパターの上部からの正面図である。
【図５３】本発明のパターの上部からの正面図である。
【図５４】本発明のパターの上部からの正面図である。
【図５５】本発明のパターの上部からの正面図である。
【図５６】本発明のパターの上部からの正面図である。
【図５７】本発明のミラーの表面と裏面の図である。
【図５８】本発明のミラーの表面と裏面の図である。
【図５９】本発明のミラーの表面と裏面の図である。
【図６０】本発明のミラーの表面と裏面の図である。
【図６１】本発明のミラーの表面と裏面の図である。
【図６２】本発明のミラーの表面と裏面の図である。
【図６３】本発明のミラーの表面と裏面の図である。
【図６４】本発明のミラーの表面と裏面の図である。
【図６５】本発明のミラーの表面と裏面の図である。
【図６６】本発明のミラーの表面と裏面の図である。
【図６７】本発明のミラーの表面と裏面の図である。
【図６８】本発明のミラーの表面と裏面の図である。
【図６９】本発明のミラーの表面と裏面の図である。
【図７０】本発明のミラーの表面と裏面の図である。
【図７１】本発明のミラーの表面と裏面の図である。
【図７２】本発明のミラーの表面と裏面の図である。
【図７３】本発明のミラーの表面と裏面の図である。
【図７４】本発明のミラーの表面と裏面の図である。
【図７５】本発明のミラーの表面と裏面の図である。
【図７６】本発明のミラーの表面と裏面の図である。
【図７７】本発明のミラーの表面と裏面の図である。
【図７８】本発明のミラーの表面と裏面の図である。
【図７９】本発明のミラーの表面と裏面の図である。
【図８０】本発明のミラーの表面と裏面の図である。
【図８１】本発明のミラーの表面と裏面の図である。
【図８２】本発明のミラーの表面と裏面の図である。
【図８３】本発明のミラーの表面と裏面の図である。
【図８４】本発明のミラーの表面と裏面の図である。
【図８５】本発明のミラーの表面と裏面の図である。
【図８６】本発明のミラーの表面と裏面の図である。
【図８７】本発明のミラーの表面と裏面の図である。
【図８８】本発明のミラーの表面と裏面の図である。
【図８９】本発明のミラーの表面と裏面の図である。
【図９０】本発明のミラーの表面と裏面の図である。
【図９１】本発明のミラーの表面と裏面の図である。
【図９２】本発明のミラーの表面と裏面の図である。
【符号の説明】
【００１６】１ミラー加工
２ミラー
３ヘッド
４フィルム  又はコーティング
５シャフト
６ミラー面
７粘着面
８ライン
【図１】
2007275536.tif 000003
【図２】
2007275536.tif 000004
【図３】
2007275536.tif 000005
【図４】
2007275536.tif 000006
【図５】
2007275536.tif 000007
【図６】
2007275536.tif 000008
【図７】
2007275536.tif 000009
【図８】
2007275536.tif 000010
【図９】
2007275536.tif 000011
【図１０】
2007275536.tif 000012
【図１１】
2007275536.tif 000013
【図１２】
2007275536.tif 000014
【図１３】
2007275536.tif 000015
【図１４】
2007275536.tif 000016
【図１５】
2007275536.tif 000017
【図１６】
2007275536.tif 000018
【図１７】
2007275536.tif 000019
【図１８】
2007275536.tif 000020
【図１９】
2007275536.tif 000021
【図２０】
2007275536.tif 000022
【図２１】
2007275536.tif 000023
【図２２】
2007275536.tif 000024
【図２３】
2007275536.tif 000025
【図２４】
2007275536.tif 000026
【図２５】
2007275536.tif 000027
【図２６】
2007275536.tif 000028
【図２７】
2007275536.tif 000029
【図２８】
2007275536.tif 000030
【図２９】
2007275536.tif 000031
【図３０】
2007275536.tif 000032
【図３１】
2007275536.tif 000033
【図３２】
2007275536.tif 000034
【図３３】
2007275536.tif 000035
【図３４】
2007275536.tif 000036
【図３５】
2007275536.tif 000037
【図３６】
2007275536.tif 000038
【図３７】
2007275536.tif 000039
【図３８】
2007275536.tif 000040
【図３９】
2007275536.tif 000041
【図４０】
2007275536.tif 000042
【図４１】
2007275536.tif 000043
【図４２】
2007275536.tif 000044
【図４３】
2007275536.tif 000045
【図４４】
2007275536.tif 000046
【図４５】
2007275536.tif 000047
【図４６】
2007275536.tif 000048
【図４７】
2007275536.tif 000049
【図４８】
2007275536.tif 000050
【図４９】
2007275536.tif 000051
【図５０】
2007275536.tif 000052
【図５１】
2007275536.tif 000053
【図５２】
2007275536.tif 000054
【図５３】
2007275536.tif 000055
【図５４】
2007275536.tif 000056
【図５５】
2007275536.tif 000057
【図５６】
2007275536.tif 000058
【図５７】
2007275536.tif 000059
【図５８】
2007275536.tif 000060
【図５９】
2007275536.tif 000061
【図６０】
2007275536.tif 000062
【図６１】
2007275536.tif 000063
【図６２】
2007275536.tif 000064
【図６３】
2007275536.tif 000065
【図６４】
2007275536.tif 000066
【図６５】
2007275536.tif 000067
【図６６】
2007275536.tif 000068
【図６７】
2007275536.tif 000069
【図６８】
2007275536.tif 000070
【図６９】
2007275536.tif 000071
【図７０】
2007275536.tif 000072
【図７１】
2007275536.tif 000073
【図７２】
2007275536.tif 000074
【図７３】
2007275536.tif 000075
【図７４】
2007275536.tif 000076
【図７５】
2007275536.tif 000077
【図７６】
2007275536.tif 000078
【図７７】
2007275536.tif 000079
【図７８】
2007275536.tif 000080
【図７９】
2007275536.tif 000081
【図８０】
2007275536.tif 000082
【図８１】
2007275536.tif 000083
【図８２】
2007275536.tif 000084
【図８３】
2007275536.tif 000085
【図８４】
2007275536.tif 000086
【図８５】
2007275536.tif 000087
【図８６】
2007275536.tif 000088
【図８７】
2007275536.tif 000089
【図８８】
2007275536.tif 000090
【図８９】
2007275536.tif 000091
【図９０】
2007275536.tif 000092
【図９１】
2007275536.tif 000093
【図９２】
2007275536.tif 000094